(57)【要約】【課題】コネクタキャップの紛失やコネクタへの装着忘れを防止しつつ、コネクタに対してコネクタキャップを容易に着脱できるコネクタユニットを実現する。【解決手段】コネクタユニット（１００）は、カメラ側ケーブルコネクタ（１５ａ）に接続する接続部（５２）を備えるコネクタキャップ（５）と該接続部が内部で可動するための第１溝（１５２）を備えるカメラ側ケーブルコネクタとから構成される。【選択図】図１
2019179702.tif 000002
【特許請求の範囲】
【請求項１】
コネクタ、および前記コネクタに対して着脱可能に取付けられた、先端が塞がれた筒状のコネクタキャップを備えたコネクタユニットであって、
前記コネクタキャップの開口部側の端部には、前記コネクタキャップを前記コネクタに対して可動に接続する接続部が設けられており、
前記コネクタの側壁または前記接続部のいずれか一方に設けられた凹部と他方に設けられた凸部とが嵌合した状態で、前記接続部は前記コネクタに対して可動に接続されており、
前記コネクタに対して前記コネクタキャップを装着した状態において、前記コネクタの先端部分が、前記開口部から前記コネクタキャップ内の空間に挿入されていることを特徴とするコネクタユニット。
【請求項２】
前記コネクタの側壁には、前記コネクタの中心軸方向に延伸し、かつ外部に向けて開口する凹部が形成されており、
前記接続部には、上記中心軸に向けて突出し、前記凹部の内部に可動に配置される凸部が設けられていることを特徴とする請求項１に記載のコネクタユニット。
【請求項３】
前記凹部の底部には、第２凹部が前記底部の周縁から張り出すように形成されており、
前記凸部の先端には、前記第２凹部と係合する係合部位が設けられていることを特徴とする請求項１または２に記載のコネクタユニット。
【請求項４】
前記凹部の底面には、外部に向けて凸となる第１突状構造が設けられており、
前記コネクタに対して前記コネクタキャップを装着した状態において、前記第１突状構造と、前記凹部における前記コネクタの先端と反対側の第１側面とで、前記凸部を挟み込むことを特徴とする請求項１から３の何れか１項に記載のコネクタユニット。
【請求項５】
前記凹部における前記コネクタの先端と反対側の端部には、前記コネクタの周方向に延伸し、かつ前記凹部と連通する第３凹部が形成されており、
前記凸部は、前記第３凹部の内部にも可動に配置することを特徴とする請求項１から４のいずれか１項に記載のコネクタユニット。
【請求項６】
前記第３凹部の底面には、外部に向けて凸となる突状構造が設けられており、
前記凸部が前記第３凹部の内部に位置すると、前記突状構造と、前記第３凹部における前記コネクタの中心軸方向に延伸する端面とで、前記凸部を挟み込むことを特徴とする請求項５に記載のコネクタユニット。
【請求項７】
前記凹部における、前記コネクタの中心軸方向に延伸する２つの第２側面のそれぞれには、対向する前記第２側面に向けて凸となる第２突状構造が設けられており、
前記凸部が前記第２突状構造と前記凹部における前記コネクタの先端と反対側の第１側面との間に位置すると、２つの前記第２突状構造と前記第１側面とで、前記凸部を挟み込むことを特徴とする請求項２から６のいずれか１項に記載のコネクタユニット。
【発明の詳細な説明】
【技術分野】
【０００１】
本発明はコネクタと前記コネクタに対して着脱可能に取付けられたコネクタキャップとを備えたコネクタユニットに関する。
【背景技術】
【０００２】
例えば、電子機器と該電子機器の制御装置との間の電気的接続を行う電子機器のコネクタにおいて、非接続状態にあるときに該コネクタにコネクタキャップを装着する必要が生じ得る。
【０００３】
特許文献１には、コネクタが接続状態にあるとき、防水用のキャップが作業環境上、邪魔にならないように具合良く保持することを目的とした内視鏡用撮像装置の構成が開示されている。
【先行技術文献】
【特許文献】
【０００４】
【特許文献１】特開平１０−２２５４３９号公報（１９９８年８月２５日公開）
【発明の概要】
【発明が解決しようとする課題】
【０００５】
ここで、電子機器の使用用途によっては、該電子機器の設置工程または除去工程においてコネクタへのコネクタキャップの装着が必須となり得る場合がある。しかしながら、特許文献１には、電子機器の設置工程または除去工程においてコネクタへのコネクタキャップの装着を可能とする構成については開示されていない。
【０００６】
本発明の一態様は、コネクタキャップの紛失やコネクタへの装着忘れを防止しつつ、コネクタに対してコネクタキャップを容易に着脱できるコネクタユニットを実現することを目的とする。
【課題を解決するための手段】
【０００７】
上記の課題を解決するために、本発明の一態様に係るコネクタユニットは、コネクタ、および前記コネクタに対して着脱可能に取付けられた、先端が塞がれた筒状のコネクタキャップを備えたコネクタユニットであって、前記コネクタキャップの開口部側の端部には、前記コネクタキャップを前記コネクタに対して可動に接続する接続部が設けられており、前記コネクタの側壁または前記接続部のいずれか一方に設けられた凹部と他方に設けられた凸部とが嵌合した状態で、前記接続部は前記コネクタに対して可動に接続されており、前記コネクタに対して前記コネクタキャップを装着した状態において、前記コネクタの先端部分が、前記開口部から前記コネクタキャップ内の空間に挿入されている。
【発明の効果】
【０００８】
本発明の一態様によれば、コネクタキャップとコネクタとを一体にさせることができ、コネクタキャップをコネクタの中心軸方向に相対的に変位および回動させることができるという効果を奏する。
【図面の簡単な説明】
【０００９】
【図１】（ａ）から（ｅ）は、本発明の実施形態１に係るコネクタユニットの構成の一例を示す斜視図である。
【図２】（ａ）から（ｅ）は、本発明の実施形態１の係るコネクタユニットの構成の他の一例を示す斜視図である。
【図３】本発明の実施形態１に係る体内監視カメラシステム１の構成の一例を示す模式図である。
【図４】（ａ）から（ｆ）は、本発明の実施形態１に係るカメラユニットの体内設置方法の一例を示す模式図である。
【図５】（ａ）から（ｅ）は、本発明の実施形態１に係るカメラユニットの体内からの除去方法の一例を示す模式図である。
【図６】（ａ）から（ｃ）は、本発明の実施形態２に係るコネクタユニットの構成の一例を示す図である。
【図７】（ａ）から（ｄ）は、本発明の実施形態２に係るコネクタの先端部分からコネクタキャップを外す動作の一例を示す模式図である。
【図８】（ａ）から（ｅ）は、本発明の本実施形態３に係るコネクタユニットの構成の一例を示す図である。（ｆ）は、本発明の本実施形態３の参考となるコネクタユニットの構成の一例を示す図である。
【図９】（ａ）から（ｄ）は、本発明の実施形態４に係るコネクタユニットの構成の一例を示す図である。（ｅ）および（ｆ）は、本発明の実施形態４の変形例に係る第３溝の構成の一例を示す図である。
【図１０】（ａ）から（ｅ）は、本発明の実施形態４に係るカメラ側ケーブルコネクタの先端部分からコネクタキャップを外す動作の一例を示す模式図である。
【図１１】（ａ）から（ｃ）は、本発明の実施形態４の他の変形例に係る第３溝の構成の一例を示す図である。
【図１２】（ａ）から（ｅ）は、本発明の実施形態５に係るコネクタユニットの構成の一例を示す図である。
【図１３】（ａ）から（ｆ）は、本発明の実施形態６に係るコネクタユニットの構成の一例を示す図である。
【図１４】（ａ）から（ｃ）は、本発明の実施形態６に係る突出部位の他の形状の例を示す図である。
【図１５】（ａ）から（ｃ）は、本発明の実施形態６の変形例に係るコネクタユニット構成の一例を示す図である。（ｄ）は、本発明の実施形態６の他の変形例に係る突出部位の一例を示す図である。
【図１６】（ａ）から（ｄ）は、本発明の実施形態７に係るコネクタキャップおよび設置治具の一例を示す図である。
【図１７】（ａ）から（ｅ）は本発明の実施形態８に係るコネクタキャップとカメラ側ケーブルコネクタとの繋ぎ方の一例を示す図である。
【発明を実施するための形態】
【００１０】
〔実施形態１〕
以下、本発明の一実施形態について、詳細に説明する。
【００１１】
（コネクタユニット１００）
図３は、本実施形態の体内監視カメラシステム１の構成の一例を示す模式図である。本実施形態においては、コネクタユニット１００が体内監視カメラシステム１に適用される例について説明する。図３に示すように、カメラユニット１１は腹壁４１の内部、すなわち、体内に設置される。カメラユニット１１の体内の設置に伴い、カメラ側ケーブルコネクタ１５ａは、体内に、一旦、挿入された後、体外に引き出される。また、カメラユニット１１の体内からの除去に伴い、カメラ側ケーブルコネクタ１５ａは体内に、一旦、挿入された後、体外に引き出される。カメラユニット１１の設置の工程または除去の工程において、カメラ側ケーブルコネクタ１５ａの端子が体内にて濡れるとカメラ側ケーブルコネクタ１５ａに接触不良が生じる可能性がある。そのため、カメラ側ケーブルコネクタ１５ａを体内に挿入する場合、カメラ側ケーブルコネクタ１５ａにはコネクタキャップ５が装着される。
【００１２】
図１の（ａ）から（ｅ）は、本実施形態に係るコネクタユニット１００の構成の一例を示す斜視図である。図１の（ｂ）に示すように、コネクタユニット１００は、カメラ側ケーブルコネクタ１５ａ、およびカメラ側ケーブルコネクタ１５ａに対して着脱可能に取付けられた、先端が塞がれた筒状のコネクタキャップ５を備えている。
【００１３】
（カメラ側ケーブルコネクタ１５ａ）
カメラ側ケーブルコネクタ１５ａは、機器側ケーブルコネクタ１５ｂに嵌め込んでカメラ側ケーブル１２と機器側ケーブル１６とを接続する。カメラ側ケーブルコネクタ１５ａは内部に当該接続に用いる端子を備えている。
【００１４】
図１の（ｂ）から（ｅ）に示すように、カメラ側ケーブルコネクタ１５ａの側壁１５１には、カメラ側ケーブルコネクタ１５ａの中心軸方向に延伸し、かつ外部に向けて開口する第１溝（凹部）１５２が形成されている。また、本実施形態では、カメラ側ケーブルコネクタ１５ａには２つの第１溝１５２がカメラ側ケーブルコネクタ１５ａの中心軸を挟んで対向するように設けられている。
【００１５】
（コネクタキャップ５）
コネクタキャップ５は、カメラ側ケーブルコネクタ１５ａに装着し、カメラ側ケーブルコネクタ１５ａの端子等を保護するものである。図１の（ａ）に示すように、コネクタキャップ５の開口部５１側の端部には、コネクタキャップ５をカメラ側ケーブルコネクタ１５ａに対して可動に接続する接続部５２が設けられている。詳細には、図１の（ａ）に示すように、接続部５２は開口部５１側の端部からコネクタキャップ５の中心軸方向に延伸している。また、本実施形態では、コネクタキャップ５には２つの接続部５２のそれぞれがコネクタキャップ５の中心軸を挟んで対向するように設けられている。また、接続部５２には、カメラ側ケーブルコネクタ１５ａの中心軸に向けて突出し、カメラ側ケーブルコネクタ１５ａの第１溝１５２の内部に可動に配置される突出部位（凸部）５３が設けられている。
【００１６】
図１の（ｂ）示すように、カメラ側ケーブルコネクタ１５ａにコネクタキャップ５が装着された状態では、コネクタの先端部分１５３がコネクタキャップ５の開口部５１からコネクタキャップ５内の空間５４に挿入されている。
【００１７】
上記構成によれば、突出部位５３が第１溝１５２の内部で可動に配置されていることから、突出部位５３を第１溝１５２の内部でコネクタの中心軸方向に移動させることができる。また、突出部位５３を第１溝１５２の内部で回動させることができる。
【００１８】
（カメラ側ケーブルコネクタ１５ａの先端部分からコネクタキャップ５を外す動作）
次に、カメラ側ケーブルコネクタ１５ａの先端部分からコネクタキャップ５を外す動作の一例を図１の（ｂ）から（ｅ）を用いて説明する。
【００１９】
ユーザは、コネクタキャップ５が図１の（ｂ）に示す状態から図１の（ｃ）に示す状態となるように、コネクタキャップ５をカメラ側ケーブルコネクタ１５ａとは反対の方向に移動（スライド）させる。上述のユーザ操作によって、コネクタキャップ５はカメラ側ケーブルコネクタ１５ａの先端部分１５３から外れる。次に、コネクタキャップ５が図１の（ｄ）に示す状態から図１の（ｅ）に示す状態となるように、ユーザはコネクタキャップ５をカメラ側ケーブルコネクタ１５ａに対して回動させる。上述のユーザ操作によって、突出部位５３は第１溝１５２の内部で回動する。さらに、コネクタキャップ５が図１の（ｄ）に示す状態から図１の（ｅ）に示す状態となるように、ユーザはコネクタキャップ５の位置をカメラ側ケーブルコネクタ１５ａの根元の方向にスライドさせる。上述のユーザ操作によって、コネクタキャップ５の位置をカメラ側ケーブルコネクタ１５ａに対する所定の位置に移動させることができる。また、コネクタキャップ５をカメラ側ケーブルコネクタ１５ａの先端部分に装着する動作として、ユーザは上述の動作を逆に行えばよい。
【００２０】
すなわち、カメラ側ケーブルコネクタ１５ａに対してコネクタキャップ５を着脱するために、ユーザは以下の動作を行えばよい。コネクタキャップ５を、カメラ側ケーブルコネクタ１５ａに対してカメラ側ケーブルコネクタ１５ａの中心軸方向に相対的に変位させる動作、およびカメラ側ケーブルコネクタ１５ａに対して回動させる動作。そのため、ユーザは、カメラ側ケーブルコネクタ１５ａに対してコネクタキャップ５を容易に着脱できる。
【００２１】
また、上記の構成においては、カメラ側ケーブルコネクタ１５ａとコネクタキャップ５とが一体化している。よって、コネクタキャップ５の紛失やカメラ側ケーブルコネクタ１５ａへの装着忘れを防止することができる。
【００２２】
また、上記構成によれば、コネクタキャップ５をカメラ側ケーブルコネクタ１５ａに装着すると、カメラ側ケーブルコネクタ１５ａの先端部分１５３がコネクタキャップ５で包み込まれるような状態となる。したがって、例えばカメラ側ケーブルコネクタ１５ａの先端に形成されている開口部のみを塞ぐ構造のコネクタキャップと比較して、装着状態が安定するとともにコネクタ先端のより広い領域を外部から遮断することができる。それゆえ、コネクタキャップ５のカメラ側ケーブルコネクタ１５ａからの意図しない離脱、およびカメラ側ケーブルコネクタ１５ａの先端に設けられた端子に体液や体組織等が付着することによる接触不良や短絡などの発生に伴う映像の乱れ等を効果的に防止することができる。
【００２３】
なお、本明細書中の「離脱」とは、コネクタキャップがコネクタに対して着脱可能に取付けられた状態を維持しつつ、コネクタの先端部分に装着されたコネクタキャップが当該先端部分から外れることを意味する。
【００２４】
後述の「カメラユニット１１の体内設置方法」に詳細を示すが、コネクタユニット１００は細径のトロッカを通して体内に挿入されること、または、体外に引き出されることが好ましい。そのため、コネクタキャップ５の外径とカメラ側ケーブルコネクタ１５ａの外径とを略同じとしてもよい。
【００２５】
（その他の例）
図２の（ａ）から（ｇ）は、本実施形態の係るコネクタユニット１００の構成の他の一例を示す斜視図である。
【００２６】
図１においては、カメラ側ケーブルコネクタ１５ａが第１溝１５２を備え、また、コネクタキャップ５が突出部位５３を備えている構成ついての例を示した。本例においては、図２の（ａ）および（ｂ）に示すように、カメラ側ケーブルコネクタ１５ａが側壁１５１に外部に向かって突出する突出部位１７０を備えている。また、コネクタキャップ５に、突出部位５３を内部で可動に配置する第１溝５９を備えている。
【００２７】
また、図２の（ｃ）から（ｅ）は、カメラ側ケーブルコネクタ１５ａの先端部分からコネクタキャップ５を外す動作の一例を示す図である。ユーザは、コネクタキャップ５が図２の（ｃ）に示す状態から図２の（ｄ）に示す状態となるように、コネクタキャップ５をカメラ側ケーブルコネクタ１５ａとは反対の方向に移動（スライド）させる。上述のユーザ操作によって、コネクタキャップ５はカメラ側ケーブルコネクタ１５ａの先端部分１５３から外れる。次に、コネクタキャップ５が図２の（ｄ）に示す状態から図２の（ｅ）に示す状態となるように、ユーザはコネクタキャップ５をカメラ側ケーブルコネクタ１５ａに対して回動させる。上述のユーザ操作によって、突出部位１７０は第１溝５９の内部で回動する。上述のユーザ操作によって、コネクタキャップ５の位置をカメラ側ケーブルコネクタ１５ａに対する所定の位置に移動させることができる。
【００２８】
また、図２の（ｆ）および（ｇ）に示すように、コネクタキャップ５が第１溝５９の代替えの構成としてスリット６０を備えていてもよい。
【００２９】
なお、後述の実施形態においても、カメラ側ケーブルコネクタ１５ａが突出部位を備えており、また、コネクタキャップ５が該突出部位を内部で可動に配置する第１溝等を備えている構成としてもよい。すなわち、カメラ側ケーブルコネクタ１５ａの側壁１５１または接続部５２のいずれか一方に設けられた凹部と他方に設けられた凸部とが嵌合した状態で、接続部５２はカメラ側ケーブルコネクタ１５ａに対して可動に接続されている。
【００３０】
（体内監視カメラシステム１）
ここで、体内監視カメラシステム１の詳細について図３を用いて説明する。体内監視カメラシステム１は医療に用いられるシステムである。図３に示すように、体内監視カメラシステム１は、カメラ側ケーブル１２を有する体内に導入されるカメラユニット１１（体内撮像装置）と、体内導入されたトロッカ３１（管状器具）との接続に用いるカメラ支持管１３と、カメラユニット制御機器１７およびディスプレイ１８（表示装置）を含む制御システムと、カメラ側ケーブル１２およびカメラユニット制御機器１７を接続する機器側ケーブル１６とを備える。
【００３１】
カメラ側ケーブル１２は、カメラユニット１１との接続端の反対側にカメラ側ケーブルコネクタ１５ａを有し、機器側ケーブル１６は、カメラユニット制御機器１７との接続端の反対側に機器側ケーブルコネクタ１５ｂを有する。
【００３２】
体内監視カメラシステム１では、腹壁４１に穿刺されたトロッカ３１の体内側の端部とカメラ支持管１３とが接続される。また、体内に導入されたカメラユニット１１と支持管とが接合され、カメラ側ケーブルコネクタ１５ａがカメラ支持管１３およびトロッカ３１を通って体外に引き出されている。
【００３３】
（カメラユニット１１の体内設置方法および除去方法）
次に、カメラユニット１１の体内設置方法の詳細について説明する。図４の（ａ）〜（ｆ）は、カメラユニット１１の体内設置方法の一例を示す模式図である。図４の（ａ）に示すように、まず、術者は、鉗子や内視鏡を体腔内に挿入するための孔（ポート）を腹壁４１に開け、ポートにトロッカ３２ａ〜３２ｃを挿入する。さらに、カメラユニット１１を体腔内に設置するために、腹壁４１における、患部を含む臓器全体を見渡すことのできる位置にポートを開け、トロッカ３１を挿入する。具体的には、針形状のオブチュレータをトロッカ３１内に通した状態でオブチュレータをポート位置に穿刺することでトロッカ３１が腹壁４１に挿入される。また、トロッカ３１は、低侵襲性を実現するために、直径が短いものが好ましい。具体的には、トロッカ３１は、直径が３ｍｍ以下であることが好ましい。なお、トロッカ３２ａ〜３２ｃおよびトロッカ３１の少なくとも一つが挿入された後、術者は、トロッカを通してガスを体内に送り、前もって体腔内を膨張させ、器具を挿入する空間を確保しておく。
【００３４】
次に、図４（ｂ）に示すように、術者は、トロッカ３２ｃを通して内視鏡３４を体腔内に挿入し、内視鏡３４を用いて体内を観察しながら以下の工程を行う。術者は、鉗子３３ａで把持したカメラユニット１１、カメラ側ケーブル１２、カメラ支持管１３およびコネクタユニット１００を、トロッカ３２ｂを通して体腔内に挿入する。このとき、カメラ側ケーブルコネクタ１５ａにはコネクタキャップ５が装着されている。
【００３５】
次に、図４（ｃ）に示すように、術者は、鉗子３３ａを操作してカメラユニット１１をトロッカ３１の近傍に移動させるとともに、トロッカ３１を通して設置治具７を体腔内に挿入する。
【００３６】
次に、図４（ｄ）に示すように、術者は、設置治具７とコネクタユニット１００とを接続させ、カメラ側ケーブル１２を体外に引き出す。なお、カメラ側ケーブル１２の体外への引き出しについては、鉗子等を用いて行ってもよい。
【００３７】
次に、図４（ｅ）に示すように、コネクタキャップ５をカメラ側ケーブルコネクタ１５ａとは反対方向にスライドさせることによって、コネクタキャップ５をカメラ側ケーブルコネクタ１５ａの先端部分１５３から外す。次に、図４（ｆ）に示すように、コネクタキャップ５を回動させ、コネクタキャップ５をカメラ側ケーブルコネクタ１５ａに対して所定の位置に保持する。
【００３８】
カメラユニット１１を体内に設置した後は、図３に示すように、カメラ側ケーブルコネクタ１５ａを機器側ケーブルコネクタ１５ｂに嵌め込んでカメラ側ケーブル１２と機器側ケーブル１６とを接続する。これにより、処置部の局所映像は、内視鏡制御機器１１７によってディスプレイ１１８に表示され、カメラユニット１１で撮影された臓器４２内の全体映像はカメラユニット制御機器１７によってディスプレイ１８に表示される。
【００３９】
次に、カメラユニット１１の除去方法の詳細について説明する。図５の（ａ）〜（ｅ）は、カメラユニット１１の体内からの除去方法の一例を示す模式図である。まず、図５の（ａ）に示すように、カメラ側ケーブルコネクタ１５ａに対して所定の位置に保持されているコネクタキャップ５を回動させる。次に、図５の（ｂ）に示すように、コネクタキャップ５をカメラ側ケーブルコネクタ１５ａに向けてスライドさせることによって、コネクタキャップ５をカメラ側ケーブルコネクタ１５ａの先端部分１５３に装着する。続いて、図５の（ｃ）に示すように、術者は、体内のカメラユニット１１を鉗子３３ａにて把持した状態で、カメラ支持管１３とカメラユニット１１との隙間に鉗子３３ｃを挿し込み、鉗子３３ｃを操作してカメラ支持管１３とカメラユニット１１とを分離する。次いで、図５の（ｄ）から（ｅ）に示すように、術者は、カメラ支持管１３をカメラユニット１１から引き離し、トロッカ３２ｂから、カメラユニット１１、カメラ側ケーブル１２、カメラ支持管１３およびコネクタユニット１００を体外に導出する。このとき、カメラ側ケーブル１２およびコネクタユニット１００は、トロッカ３１を通して一旦体内に戻された後、トロッカ３２ｂを通して体外に引き出される。
【００４０】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４１】
（概要）
本実施形態においては、カメラ側ケーブルコネクタ１５ａの第１溝１５２の底部に第２溝（第２凹部）１５４が形成されており、コネクタキャップ５の突出部位５３の先端には、第２溝１５４と係合する係合部位５５が設けられている。
【００４２】
（カメラ側ケーブルコネクタ１５ａ）
図６の（ａ）から（ｃ）は、本実施形態に係るコネクタユニット１００の構成の一例を示す図である。図６の（ｂ）は、コネクタユニット１００の中心軸に沿った断面図である。図６の（ｂ）に示すように、カメラ側ケーブルコネクタ１５ａの第１溝１５２の底部には、第２溝１５４が第１溝１５２の底部の周縁から張り出すように形成されている。換言すると、第１溝１５２の幅は第２溝１５４の幅よりも狭く形成されている。
【００４３】
（コネクタキャップ５）
図６の（ａ）は、コネクタキャップ５の斜視図である。図６の（ａ）に示すように、コネクタキャップ５の突出部位５３の先端には係合部位５５が設けられている。係合部位５５の外径は突出部位５３の外径よりも大きく形成されている。
【００４４】
また、図６の（ｃ）は、図６の（ｂ）にて示した点線における断面図である。図６の（ｃ）に示すように、係合部位５５はカメラ側ケーブルコネクタ１５ａの第２溝１５４と係合する。詳細には、係合部位５５は第２溝１５４に嵌るように形成されている。
【００４５】
なお、図６の（ａ）に示すように、本実施形態では、コネクタキャップ５が１つの接続部５２を備えている例を示す。上述したように、カメラ側ケーブルコネクタ１５ａの第１溝１５２の幅は第２溝１５４の幅よりも狭く形成されている。また、第１溝の底面と平行な断面において、係合部位５５の直径は第１溝１５２の幅よりも大きく形成されている。
【００４６】
そのため、図の５の（ｂ）および（ｃ）に示すように、コネクタキャップ５の係合部位５５と接続部５２とはカメラ側ケーブルコネクタ１５ａにおける第１溝１５２の周辺の側壁１５１を挟みこむ。したがって、接続部５２の数が１つであり、対向する接続部５２がなくても、コネクタキャップ５はカメラ側ケーブルコネクタ１５ａに保持される。なお、係合部位５５を備えている突出部位５３の構造を実施形態１にて示した接続部５２を２つ有するコネクタキャップ５に適用してもよい。
【００４７】
上記構成によれば、第２溝１５４に係合部位５５が係合していることから、第２溝および係合部位が設けられていない構成と比較して、突出部位５３が第１溝１５２から抜け難くなる。それゆえ、コネクタキャップ５がカメラ側ケーブルコネクタ１５ａから外れて紛失することを、効果的に防止することができる。
【００４８】
（カメラ側ケーブルコネクタ１５ａの先端部分からコネクタキャップ５が外れる動作）
図７の（ａ）から（ｄ）は、カメラ側ケーブルコネクタ１５ａの先端部分からコネクタキャップ５を外す動作の一例を示す模式図である。コネクタキャップ５が、図７の（ａ）に示す状態から図７の（ｂ）に示す状態となるように、ユーザはコネクタキャップ５をカメラ側ケーブルコネクタ１５ａとは反対の方向に移動（スライド）させる。上述のユーザ操作によって、コネクタキャップ５はカメラ側ケーブルコネクタ１５ａの先端部分１５３から外れる。次に、コネクタキャップ５が図７の（ｂ）に示す状態から図７の（ｃ）に示す状態となるように、ユーザはコネクタキャップ５をカメラ側ケーブルコネクタ１５ａに対して回動させる。上述のユーザ操作によって、突出部位５３は第１溝１５２の内部で回動する。さらに、コネクタキャップ５が図１の（ｃ）に示す状態から図１の（ｄ）に示す状態となるように、ユーザはコネクタキャップ５の位置をカメラ側ケーブルコネクタ１５ａの根元の方向に、例えば、第１溝１５２の端部まで、移動させる。上述のユーザ操作によって、コネクタキャップ５の位置をカメラ側ケーブルコネクタ１５ａに対する所定の位置に移動させることができる。
【００４９】
〔実施形態３〕
本発明の他の実施形態について、以下に説明する。なお、説明の便宜上、上記実施形態にて説明した部材と同じ機能を有する部材については、同じ符号を付記し、その説明を繰り返さない。なお、本実施形態に係るコネクタキャップ５については、実施形態１にて説明したコネクタキャップ５と同様であるため、ここでは、詳細に説明しない。
【００５０】
（概要）
本実施形態においては、カメラ側ケーブルコネクタ１５ａの第１溝１５２の底面にコネクタキャップ５の突出部位５３を固定するための第１凸部（第１突状構造）１５５が形成されている。
【００５１】
（カメラ側ケーブルコネクタ１５ａ）
図８の（ａ）から（ｅ）は、本実施形態に係るコネクタユニット１００の構成の一例を示す図である。また、図８の（ｆ）は、本実施形態の参考となるコネクタユニットの構成の一例を示す図である。詳細には、図８の（ａ）は、カメラ側ケーブルコネクタ１５ａからコネクタキャップ５が外れている状態における、コネクタユニット１００の中心軸に沿ったコネクタユニット１００の断面図である。また、図８の（ｂ）は、カメラ側ケーブルコネクタ１５ａからコネクタキャップ５が外れている状態における、第１溝１５２が設けられている方向を正面とした、コネクタユニット１００の正面図である。また、図８の（ｃ）は、カメラ側ケーブルコネクタ１５ａにコネクタキャップ５が装着されている状態における、コネクタユニット１００の中心軸に沿ったコネクタユニット１００の断面図である。また、図８の（ｄ）は、カメラ側ケーブルコネクタ１５ａにコネクタキャップ５が装着されている状態における、第１溝１５２が設けられている方向を正面とした、コネクタユニット１００の正面図である。図８の（ｅ）は、カメラ側ケーブルコネクタ１５ａからコネクタキャップ５が外され、所定の位置に保持されている状態における、第１溝１５２が設けられている方向を正面とした、コネクタユニット１００の正面図である。なお、本実施形態では、実施形態１と同様に、カメラ側ケーブルコネクタ１５ａには２つの第１溝１５２がカメラ側ケーブルコネクタ１５ａの中心軸を挟んで対向するように設けられている。
【００５２】
図８の（ａ）および図８の（ｂ）に示すように、カメラ側ケーブルコネクタ１５ａの第１溝１５２の底面１５６には、外部に向けて凸となる第１凸部１５５が設けられている。図８の（ｃ）に示すように、カメラ側ケーブルコネクタ１５ａにコネクタキャップ５が装着されている状態では、第１凸部１５５と、第１溝１５２におけるカメラ側ケーブルコネクタ１５ａの先端とは反対側の第１側面１５７とで、突出部位５３を挟み込む。
【００５３】
また、図８の（ａ）に示すように、第１凸部の底面１５６からの高さは、第１側面１５７に近づくほど高くなるようにしてもよい。また、第１凸部１５５の形状を山なりの形状としてもよい。
【００５４】
上記構成によれば、コネクタキャップ５をカメラ側ケーブルコネクタ１５ａに装着した状態において、突出部位５３を第１凸部１５５と第１側面１５７とで挟み込む。例えば、コネクタキャップ５がカメラ側ケーブルコネクタ１５ａに装着されると、突出部位５３が第１凸部１５５と第１側面１５７との間に位置するように、第１凸部１５５を適宜調整してもよい。この構成において、コネクタキャップ５をカメラ側ケーブルコネクタ１５ａに装着した状態では、コネクタキャップ５がカメラ側ケーブルコネクタ１５ａの先端方向に摺動しようとしても、突出部位５３が第１凸部１５５に引掛かる。なお、コネクタキャップ５に対して、第１側面１５７に沿ったスライド方向に所定値以上の力が加わった場合に、突出部位５３は第１凸部１５５を越えてスライドする構成としてもよい。そのため、ユーザが意図しない突出部位５３のカメラ側ケーブルコネクタ１５ａの先端方向への摺動を防止できる。そのため、例えば、図８の（ｆ）に示すような第１凸部１５５が設けられていない構成と比較して、コネクタキャップ５のカメラ側ケーブルコネクタ１５ａからのユーザが意図しない離脱を効果的に防止することができる。なお、図８の（ｆ）における矢印は、突出部位５３の摺動方向を示している。
【００５５】
そのため、例えば、実施形態１の「カメラユニット１１の体内設置方法」における、カメラ側ケーブル１２を体外に引き出す工程等において、コネクタキャップ５がカメラ側ケーブルコネクタ１５ａから離脱することを防止することができる。
【００５６】
また、突出部位５３を第１凸部１５５と第１側面１５７とで挟み込むことにより、コネクタキャップ５の装着状態を安定させることができる。
【００５７】
〔実施形態４〕
本発明の他の実施形態について、以下に説明する。なお、説明の便宜上、上記実施形態にて説明した部材と同じ機能を有する部材については、同じ符号を付記し、その説明を繰り返さない。なお、本実施形態に係るコネクタキャップ５については、実施形態１にて説明したコネクタキャップ５と同様であるため、ここでは、詳細に説明しない。
【００５８】
（概要）
本実施形態においては、第１溝１５２におけるカメラ側ケーブルコネクタ１５ａの先端部分１５３とは反対側の端部に、カメラ側ケーブルコネクタ１５ａの周方向に延伸した第３溝（第３凹部）１５８が連結している。
【００５９】
（カメラ側ケーブルコネクタ１５ａ）
図９の（ａ）から（ｄ）は、本実施形態に係るコネクタユニット１００の構成の一例を示す図である。詳細には、図９の（ａ）は、カメラ側ケーブルコネクタ１５ａからコネクタキャップ５が外れている状態における、コネクタユニット１００の中心軸に沿ったコネクタユニット１００の断面図である。また、図９の（ｂ）は、カメラ側ケーブルコネクタ１５ａからコネクタキャップ５が外れている状態における、第１溝１５２が設けられている方向を正面とした、コネクタユニット１００の正面図である。また、図９の（ｃ）は、カメラ側ケーブルコネクタ１５ａにコネクタキャップ５が装着されている状態における、第１溝１５２が設けられている方向を正面とした、コネクタユニット１００の正面図である。また、図９の（ｄ）は、カメラ側ケーブルコネクタ１５ａにコネクタキャップ５が装着され、突出部位５３が第３溝１５８に配置している状態における、第１溝１５２が設けられている方向を正面とした、コネクタユニット１００の正面図である。なお、本実施形態では、実施形態１と同様に、カメラ側ケーブルコネクタ１５ａには２つの第１溝１５２がカメラ側ケーブルコネクタ１５ａの中心軸を挟んで対向するように設けられている。
【００６０】
図９の（ｂ）および図９の（ｃ）に示すように、第１溝１５２におけるカメラ側ケーブルコネクタ１５ａの先端と反対側の端部には、カメラ側ケーブルコネクタ１５ａの周方向に延伸している第３溝１５８が形成されている。また、第３溝１５８は第１溝１５２と連通している。突出部位５３は、第３溝１５８の内部にも可動に配置する。
【００６１】
また、図９の（ｂ）にて、破線で示している第３溝１５８は、図９の（ｂ）にて実線で示されている第１溝１５２に中心軸を挟んで対向する位置に形成された第１溝１５２に連通している第３溝１５８である。すなわち、２つの第１溝１５２のそれぞれについて連通している第３溝１５８が設けられている。
【００６２】
上記構成によれば、例えば、コネクタキャップ５をカメラ側ケーブルコネクタ１５ａに装着した状態から、突出部位５３をカメラ側ケーブルコネクタ１５ａの周方向にスライドさせ、第３溝１５８に配置させることができる。したがって、突出部位５３が第３溝１５８に配置されている場合、コネクタキャップ５がカメラ側ケーブルコネクタ１５ａの先端方向に摺動しようとしても、突出部位５３は第３溝１５８の側壁に引掛かる。それゆえ、ユーザが意図しない突出部位５３のカメラ側ケーブルコネクタ１５ａ先端方向への摺動を防止できる。よって、第３溝１５８が設けられていない構成と比較して、ユーザが意図しないコネクタキャップ５のカメラ側ケーブルコネクタ１５ａからの離脱を効果的に防止することができる。また、突出部位５３を第３溝１５８の内部に配置させることにより、コネクタキャップ５の装着状態を安定させることができる。
【００６３】
図９の（ｃ）はコネクタキャップ５がカメラ側ケーブルコネクタ１５ａに装着している状態を示している。図９の（ｃ）に示す矢印はコネクタキャップ５がカメラ側ケーブルコネクタ１５ａに装着される場合のコネクタキャップ５の動作方向を示している。図９の（ｃ）に示すように、コネクタキャップ５がカメラ側ケーブルコネクタ１５ａに装着される場合、カメラ側ケーブルコネクタ１５ａの中心軸方向にコネクタキャップ５は押し込まれる。また、図９の（ｄ）は、突出部位５３が第３溝１５８に配置している状態を示している。図９の（ｄ）に示す矢印は突出部位５３が第３溝１５８に配置される場合のコネクタキャップ５の動作方向を示している。図９の（ｄ）に示すように、突出部位５３を第３溝１５８に配置させる場合、カメラ側ケーブルコネクタ１５ａの周方向にコネクタキャップ５をスライドさせる。突出部位５３が第３溝１５８に配置している場合、カメラ側ケーブルコネクタ１５ａの中心軸方向にコネクタキャップ５が引っ張られても、コネクタキャップ５はカメラ側ケーブルコネクタ１５ａから外れない。すなわち、コネクタキャップ５は固定される。
【００６４】
そのため、例えば、実施形態１の「カメラユニット１１の体内設置方法」における、カメラ側ケーブル１２を体外に引き出す工程等にて、コネクタキャップ５がカメラ側ケーブルコネクタ１５ａから離脱することを防止することができる。
【００６５】
（カメラ側ケーブルコネクタ１５ａの先端部分からコネクタキャップ５を外す動作）
図１０の（ａ）から（ｅ）は、カメラ側ケーブルコネクタ１５ａの先端部分からコネクタキャップ５を外す動作の一例を示す模式図である。例えば、図１０の（ａ）にて実線の矢印で示すように、ユーザはコネクタキャップ５をカメラ側ケーブルコネクタ１５ａの周方向にスライドさせ、突出部位５３を第３溝１５８から第１溝１５２に移動させる。
【００６６】
次に、図１０の（ａ）に示す状態から図１０の（ｂ）に示す状態となるように、ユーザはコネクタキャップ５をカメラ側ケーブルコネクタ１５ａとは反対の方向に移動（スライド）させる。上述のユーザ操作によって、コネクタキャップ５はカメラ側ケーブルコネクタ１５ａの先端部分１５３から外れる。次に、コネクタキャップ５が図１０の（ｂ）に示す状態から図１０の（ｃ）に示す状態となるように、ユーザはコネクタキャップ５を回動する。上述のユーザ操作により、突出部位５３は第１溝１５２の内部で回動する。さらに、コネクタキャップ５が図１０の（ｃ）に示す状態から図１０の（ｄ）に示す状態となるように、ユーザはコネクタキャップ５をカメラ側ケーブルコネクタ１５ａの根元の方向に移動（スライド）させる。上述のユーザ操作により、突出部位５３は第３溝１５８に連絡している第１溝１５２の端に位置する。さらに、コネクタキャップ５が図１０の（ｄ）に示す状態から図１０の（ｅ）に示す状態となるように、ユーザはカメラ側ケーブルコネクタ１５ａの周方向にカメラ側ケーブルコネクタ１５ａを回転させる。上述のユーザ操作により、突出部位５３は第３溝１５８内に位置し、コネクタキャップ５は固定される。
【００６７】
（変形例１）
次に、本実施形態に係る変形例について、図９の（ｅ）および（ｆ）を用いて説明する。本変形例においては、第３溝１５８に突出部位５３を固定する第３凸部１５９が設けられている。
【００６８】
図９の（ｅ）および（ｆ）は、本変形例に係る第３溝１５８の構成の一例を示す図である。詳細には、図９の（ｅ）は、第１溝１５２および第３溝１５８が設けられている方向を正面とした、コネクタユニット１００の正面図の拡大図である。図９の（ｆ）は、図９の（ｅ）に示されている直線（破線）における断面図である。
【００６９】
図９の（ｅ）および（ｆ）に示すように、第３溝１５８の底面１６０には、外部に向けて凸となる第３凸部１５９が設けられている。突出部位５３が第３溝１５８の内部に位置すると、第３凸部１５９と第３溝１５８におけるカメラ側ケーブルコネクタ１５ａの中心軸方向に延伸する端面１６１とは突出部位３５を挟み込む。
【００７０】
上記構成によれば、コネクタキャップ５がカメラ側ケーブルコネクタ１５ａに装着した状態にて、突出部位５３をカメラ側ケーブルコネクタ１５ａの周方向にスライドさせて、突出部位５３を第３溝１５８に配置させることができる。また、突出部位５３を第３凸部１５９と端面１６１とで挟み込むことができる。例えば、コネクタキャップ５に対して、第３溝１５８に沿った方向に所定値以上の力が加わった場合に、突出部位５３は第３凸部１５９を越えてスライドする構成としてもよい。
【００７１】
それゆえ、第３溝１５８および第３凸部１５９が設けられていない構成と比較して、ユーザが意図しないコネクタキャップ５のカメラ側ケーブルコネクタ１５ａからの離脱を効果的に防止することができる。
【００７２】
また、突出部位５３を第３凸部１５９と端面１６１とで挟み込むことにより、コネクタキャップ５の装着状態を安定させることができる。
【００７３】
（変形例２）
次に、本実施形態に係る他の変形例について、図１１を用いて説明する。本変形例においては、第３溝１５８と第１溝との接続領域（連結領域）に近づくにつれて第３溝１５８の幅が狭く形成されている。
【００７４】
（第３溝１５８の構成）
図１１は、本変形例に係る第３溝１５８の構成の一例を示す図である。詳細には、図１１の（ａ）から（ｃ）は、第１溝１５２および第３溝１５８が設けられている方向を正面とした、コネクタユニット１００の正面図である。
【００７５】
図１１の（ａ）および（ｂ）に示すように、例えば、第３溝１５８を形成する側面の一部は、第３溝１５８内に向けて凸となる第４凸部１６３として形成されていてもよい。
【００７６】
図１１の（ａ）は、カメラ側ケーブルコネクタ１５ａからコネクタキャップ５が外れている状態を示している。また、図１１の（ｂ）は、カメラ側ケーブルコネクタ１５ａにコネクタキャップ５が装着されている状態を示している。図１１の（ｂ）に示す矢印はコネクタキャップ５がカメラ側ケーブルコネクタ１５ａに装着される場合のコネクタキャップ５の動作方向を示している。図１１の（ｂ）に示すように、コネクタキャップ５がカメラ側ケーブルコネクタ１５ａに装着される場合、カメラ側ケーブルコネクタ１５ａの中心軸方向にコネクタキャップ５は押し込まれる。また、図１１の（ｃ）は、突出部位５３が第３溝１５８に配置している状態を示している。図１１の（ｃ）に示す矢印は突出部位５３が第３溝１５８に配置される場合のコネクタキャップ５の動作方向を示している。図１１の（ｃ）に示すように、突出部位５３が第３溝１５８に配置させる場合、カメラ側ケーブルコネクタ１５ａの周方向にコネクタキャップ５をスライドさせる。上述の通り、第３溝１５８と第１溝との接続領域（連結領域）に近づくにつれて第３溝１５８の幅は狭く形成されている。そのため、一旦、突出部位５３が第３溝１５８に配置すると、突出部位５３は第３溝１５８から外れにくくなる。そのため、ユーザが意図しないコネクタキャップ５のカメラ側ケーブルコネクタ１５ａからの離脱を効果的に防止することができる。
【００７７】
〔実施形態５〕
本発明の他の実施形態について、以下に説明する。なお、説明の便宜上、上記実施形態にて説明した部材と同じ機能を有する部材については、同じ符号を付記し、その説明を繰り返さない。特に本実施形態では上述の実施形態２と異なる構成について説明する。
【００７８】
本実施形態においては、第１溝１５２の側面に対向する２つの第２凸部（第２突状構造）１６６が設けられている。
【００７９】
図１２の（ａ）から（ｅ）は、本実施形態に係るコネクタユニット１００の構成の一例を示す図である。図１２の（ａ）は、コネクタキャップ５の斜視図である。本実施形態に係るコネクタキャップ５の構成については、上述の実施形態２で説明したコネクタキャップ５の構成と同様である。
【００８０】
図１２の（ｂ）は、コネクタユニット１００の中心軸に沿った断面図である。図１２の（ｃ）は、カメラ側ケーブルコネクタ１５ａからコネクタキャップ５が外れている状態における、第１溝１５２が設けられている方向を正面とした、コネクタユニット１００の正面図である。図１２の（ｄ）は、カメラ側ケーブルコネクタ１５ａにコネクタキャップ５が装着されている状態における、第１溝１５２が設けられている方向を正面とした、コネクタユニット１００の正面図である。図１２の（ｅ）は、カメラ側ケーブルコネクタ１５ａにコネクタキャップ５が装着されている状態における、コネクタユニット１００の中心軸に沿ったコネクタユニット１００の断面図である。
【００８１】
図１２の（ｃ）に示すように、第１溝１５２における、カメラ側ケーブルコネクタ１５ａの中心軸方向に延伸する２つの第２側面１６５のそれぞれには、対向する第２側面１６５に向けて凸となる第２凸部１６６が設けられている。
【００８２】
突出部位５３が第２凸部１６６と第１側面１５７との間に位置すると、２つの第２凸部１６６と第１側面１５７とで、突出部位５３を挟み込む。
【００８３】
上記構成によれば、コネクタキャップ５をカメラ側ケーブルコネクタ１５ａに装着した状態において、突出部位を２つの第２凸部と第１側面とで挟み込む。なお、コネクタキャップ５がカメラ側ケーブルコネクタ１５ａに装着されると、突出部位５３が第２凸部１６６と第１側面１５７との間に位置するように、適宜、第２凸部１６６の位置は調整される。
【００８４】
この構成において、コネクタキャップ５がカメラ側ケーブルコネクタ１５ａに装着されると、コネクタキャップ５がカメラ側ケーブルコネクタ１５ａの先端方向に摺動しようとしても、突出部位５３が２つの第２凸部１６６に引掛かる。例えば、コネクタキャップ５に対して、第１溝１５２に沿って所定値以上の力が加わった場合に、突出部位５３は第２凸部１６６を越えてスライドする構成としてもよい。そのため、ユーザが意図しない突出部位５３のカメラ側ケーブルコネクタ１５ａの先端方向への摺動を防止できる。よって、第２凸部１６６が設けられていない構成と比較して、コネクタキャップ５のカメラ側ケーブルコネクタ１５ａから離脱を効果的に防止することができる。
【００８５】
また、突出部位５３を２つの第２凸部１６６と第１側面１５７とで挟み込むことにより、コネクタキャップ５の装着状態を安定させることができる。
【００８６】
〔実施形態６〕
本発明の他の実施形態について、以下に説明する。なお、説明の便宜上、上記実施形態にて説明した部材と同じ機能を有する部材については、同じ符号を付記し、その説明を繰り返さない。特に本実施形態では上述の実施形態３と異なる構成について説明する。
【００８７】
（概要）
本実施形態においては、突出部位５３の形状が正多角柱である。コネクタキャップ５がカメラ側ケーブルコネクタ１５ａに装着されていない状態において、該正多角柱の各角を第１凸部１５５に引掛ける。そのため、コネクタキャップ５をカメラ側ケーブルコネクタ１５ａに対して所定の角度に保持する。
【００８８】
（カメラ側ケーブルコネクタ１５ａ）
図１３の（ａ）から（ｆ）は、本実施形態に係るコネクタユニット１００の構成の一例を示す図である。詳細には、図１３の（ａ）は、本実施形態に係るコネクタキャップ５の構成の一例を示す斜視図である。また、図１３の（ｂ）は、カメラ側ケーブルコネクタ１５ａからコネクタキャップ５が外れている状態における、コネクタユニット１００の中心軸に沿ったコネクタユニット１００の断面図である。また、図１３の（ｃ）は、カメラ側ケーブルコネクタ１５ａからコネクタキャップ５が外れている状態における、第１溝１５２が設けられている方向を正面とした、コネクタユニット１００の正面図である。本実施形態に係るカメラ側ケーブルコネクタ１５ａの構成については、上述の実施形態３で説明したカメラ側ケーブルコネクタ１５ａの構成と同様である。
【００８９】
（コネクタキャップ５）
図１３の（ａ）および図１３の（ｃ）に示すように、本実施形態に係るコネクタキャップ５は、正三角柱の形状の突出部位５３を備えている。
【００９０】
また、図１３の（ｄ）は、カメラ側ケーブルコネクタ１５ａにコネクタキャップ５が装着されている状態における、第１溝１５２が設けられている方向を正面とした、コネクタユニット１００の正面図である。また、図１３の（ｅ）および図１３の（ｆ）は、カメラ側ケーブルコネクタ１５ａからコネクタキャップ５が外され、所定の位置に保持されている状態における、第１溝１５２が設けられている方向を正面とした、コネクタユニット１００の正面図である。
【００９１】
図１３の（ｅ）および図１３の（ｆ）に示すように、コネクタキャップ５がカメラ側ケーブルコネクタ１５ａに装着されていない状態において、カメラ側ケーブルコネクタ１５ａに対して所定の角度に保持する。詳細には、突出部位５３の各角が第１凸部１５５に引掛かることにより、カメラ側ケーブルコネクタ１５ａに対してコネクタキャップ５は所定の角度に傾いて保持される。図１３の（ｅ）においては、該所定の角度を６０度として、コネクタキャップ５が保持されている例を示している。また、図１３の（ｆ）においては、該所定の角度を１２０度として、コネクタキャップ５が保持されている例を示している。
【００９２】
また、図１４の（ａ）から（ｃ）は突出部位５３の他の形状の例を示す図である。図１４の（ａ）に示す例では、コネクタキャップ５は正四角柱の形状の突出部位５３を備えている。また、図１４の（ｂ）に示す例では、コネクタキャップ５は正五角柱の形状の突出部位５３を備えている。また、図１４の（ｃ）に示す例では、コネクタキャップ５は正六角柱の形状の突出部位５３を備えている。なお、突出部位５３の形状は正多角柱の形状であればよく、特に限定されない。
【００９３】
（変形例３）
次に、本実施形態に係る変形例について、図１５の（ａ）から（ｃ）を用いて説明する。本変形例においては、第１溝１５２におけるカメラ側ケーブルコネクタ１５ａの根元側の端部に嵌込み構造１６９を備えている。
【００９４】
嵌込み構造１６９は、コネクタキャップ５の正多角柱に形成された突出部位５３を嵌め込まれるように、突出部位５３の形状に応じた形状に形成されている。図１５の（ａ）から（ｃ）は、本変形例に係るコネクタユニット１００の構成の一例を示す図である。詳細には、カメラ側ケーブルコネクタ１５ａからコネクタキャップ５が外れている状態における、第１溝１５２が設けられている方向を正面とした、コネクタユニット１００の正面図である。図１５の（ａ）に示す例では、嵌込み構造１６９は正三角柱の形状の突出部位５３に応じた形状に形成されている。また、図１５の（ｂ）に示す例では、嵌込み構造１６９は正四角柱の形状の突出部位５３に応じた形状に形成されている。また、図１５の（ｃ）に示す例では、嵌込み構造１６９は正六角柱の形状の突出部位５３に応じた形状に形成されている。
【００９５】
（変形例４）
次に、本実施形態に係る変形例について、図１５の（ｄ）を用いて説明する。図１５の（ｄ）は、本変形例に係る突出部位５３の一例を示す図である。詳細には、第１溝１５２が設けられている方向を正面とした、本変形例に係るコネクタユニット１００の正面図である。図１５の（ｄ）に示すように、コネクタキャップ５は歯車形状に形成されている突出部位５３を備えている。詳細には、第１溝１５２の底面に平行な断面において、突出部位５３は歯車形状となっている。また、カメラ側ケーブルコネクタ１５ａは、突出部位５３の歯の間に嵌る突起１６８を備えている。
【００９６】
また、突出部位５３と突起１６８とによってラチェット構造が形成されている構成としてもよい。
【００９７】
〔実施形態７〕
本発明の他の実施形態について、以下に説明する。なお、説明の便宜上、上記実施形態にて説明した部材と同じ機能を有する部材については、同じ符号を付記し、その説明を繰り返さない。
【００９８】
（コネクタキャップ５および設置治具７）
本実施形態１では、「カメラユニット１１の体内設置方法」において、設置治具７とコネクタユニット１００とを接続させ、カメラ側ケーブル１２を体外に引き出すことについて説明した。
【００９９】
本実施形態では、体内に挿入したコネクタユニット１００を体外に引き出すための設置治具７の構造の例および設置治具７に接続可能なコネクタキャップ５の構造の例について、図１６を用いて説明する。
【０１００】
図１６の（ａ）から（ｄ）はコネクタキャップ５および設置治具７の一例を示す図である。
【０１０１】
図１６の（ａ）に示す例では、コネクタキャップ５は先端に磁石部５６を備えている。また、設置治具７は先端に磁石部７１を備えている。設置治具７の磁石部７１とコネクタキャップ５の磁石部５６とは体内にて磁力によって接続される。
【０１０２】
図１６の（ｂ）に示す例では、コネクタキャップ５は先端に引掛け具５７を備えている。また、設置治具７は先端に泡立て器形状先端部７２を備えている。泡立て器形状先端部７２は、両端の２点で接続された複数の曲線形状の保持ワイヤによって構成されており、楕円体（回転楕円体）の形状を有している。上記複数の保持ワイヤは、外力を加えることによって変形可能である。また、持ち手レバー部（図示せず）を操作すると、先端部駆動用硬質ワイヤを介し、泡立て器形状先端部７２を筒型棒状部内に引き込む構造としてもよい。泡立て器形状先端部７２は、力を加えていない状態では、先端が泡立て器状に広がることによって保持ワイヤ同士の間隔が大きくなり、レバーを引いて、この部分を筒型棒状部内に引き込む力を加えると、保持ワイヤ同士の間隔は小さくなる。このように、泡立て器形状先端部７２を構成する保持ワイヤ同士の間隔は可変である。
より具体的には、泡立て器形状先端部７２が筒型棒状部の外部にあるときの保持ワイヤ同士の間隔は、引掛け具５７の径に対応する大きさであることがより好ましい。これにより、引掛け具５７に泡立て器形状先端部７２を押し当てたときに、引掛け具５７を泡立て器形状先端部７２の内部に入れることができるとともに、引掛け具５７が泡立て器形状先端部７２の外部に出ることを抑制することができる。
【０１０３】
図１６の（ｃ）に示す例では、コネクタキャップ５は先端に第２接続部５８を備えている。また、設置治具７は先端に嵌込み部７３を備えている。コネクタキャップ５の第２接続部５８は、設置治具７の嵌込み部７３の形状に応じた凹形状を有する。該凹形状に嵌込み部７３を嵌込むことにより設置治具７とコネクタキャップ５とは接続される。
【０１０４】
図１６の（ｄ）に示す例では、コネクタキャップ５は先端にフック受付け部５９を備えている。また、設置治具７は先端にフック７４を備えている。設置治具７のフック７４をコネクタキャップ５のフック受付け部５９に引掛けることにより設置治具７とコネクタキャップ５とが接続される。
【０１０５】
なお、コネクタキャップ５とカメラ側ケーブルコネクタ１５ａとの接続力は、設置治具７とコネクタキャップ５との接続力よりも大きくなるように設計することが好ましい。
〔実施形態８〕
本発明の他の実施形態について、以下に説明する。なお、説明の便宜上、上記実施形態にて説明した部材と同じ機能を有する部材については、同じ符号を付記し、その説明を繰り返さない。
【０１０６】
（概要）
本実施形態においては、コネクタキャップ５とカメラ側ケーブルコネクタ１５ａとをワイヤ８によって繋ぐことによって、一体化する。
【０１０７】
（ワイヤ８）
ワイヤ８は、コネクタキャップ５とカメラ側ケーブルコネクタ１５ａとを繋ぐものである。コネクタキャップ５とカメラ側ケーブルコネクタ１５ａとの繋ぎ方のバリエーションを、図１７を用いて説明する。
【０１０８】
図１７の（ａ）から（ｄ）はコネクタキャップ５とカメラ側ケーブルコネクタ１５ａとの繋ぎ方の一例を示す図である。左図は、コネクタキャップ５がカメラ側ケーブルコネクタ１５ａから外れている状態を示している。右図は、コネクタキャップ５がカメラ側ケーブルコネクタ１５ａに装着されている状態を示している。
【０１０９】
図１７の（ａ）に示す例では、ワイヤ８とコネクタキャップ５とはコネクタキャップ５の略中心で接続している。また、ワイヤ８とカメラ側ケーブルコネクタ１５ａとはカメラ側ケーブルコネクタ１５ａの略中心で接続している。
【０１１０】
図１７の（ｂ）に示す例では、ワイヤ８とコネクタキャップ５とは、ワイヤ８がコネクタキャップ５の周囲に巻かれることによって接続している。また、ワイヤ８とカメラ側ケーブルコネクタ１５ａとは、ワイヤ８がカメラ側ケーブルコネクタ１５ａの周囲に巻かれることによって接続している。
【０１１１】
図１７の（ｃ）に示す例では、ワイヤ８とコネクタキャップ５とは、ワイヤ８がコネクタキャップ５の周囲に巻かれることによって接続している。また、ワイヤ８とカメラ側ケーブル１２とは、ワイヤ８がカメラ側ケーブル１２の周囲に巻かれることによって接続している。
【０１１２】
カメラ側ケーブルコネクタ１５ａはカメラ側ケーブル１２の末端側に位置し、その外径はカメラ側ケーブル１２の外径よりも大きい。よって、上記の構成によれば、ワイヤ８が外れることを抑制することができる。
【０１１３】
図１７の（ｅ）は、図１７の（ｄ）に示すコネクタユニットの断面図である。図１７の（ｄ）および（ｅ）に示す例では、ワイヤ８はコネクタキャップ５の側面を貫通し、コネクタキャップ５の内側にてコネクタキャップ５と接続している。また、ワイヤ８とカメラ側ケーブルコネクタ１５ａとは、ワイヤ８がカメラ側ケーブルコネクタ１５ａの周囲に巻かれることによって接続している。なお、ワイヤ８がカメラ側ケーブル１２の側面を貫通しカメラ側ケーブル１２の内側にてカメラ側ケーブル１２と接続してもよい。
【０１１４】
また、カメラ側ケーブルコネクタ１５ａの側面およびコネクタキャップ５の側面におけるワイヤ８が巻かれる位置には溝が設けられていてもよい。
【０１１５】
また、カメラ側ケーブルコネクタ１５ａの側面に、カメラ側ケーブルコネクタ１５ａの中心軸方向に沿った溝が設けられていてもよい。上記溝はワイヤ８を格納するために用いられてもよい。
【０１１６】
上記の構成によれば、コネクタキャップ５とカメラ側ケーブルコネクタ１５ａとから成るコネクタユニットの外径が太くなることを抑制することができる。そのため、細い径のトロッカ等を用いて、該コネクタユニットを体内に挿入することができる。
【０１１７】
また、コネクタキャップ５の長さを、体内に挿入するカメラユニットの挿入に用いるトロッカの径よりも短く設定し、かつ、他のトロッカの径よりも長く設定してもよい。
【０１１８】
コネクタキャップ５の長さが十分であれば、トロッカ内部および体内へのコネクタキャップ５の落下の可能性を低くすることができる。
【０１１９】
〔まとめ〕
本発明の態様１に係るコネクタユニット（１００）は、コネクタ（カメラ側ケーブルコネクタ１５ａ）、および前記コネクタに対して着脱可能に取付けられた、先端が塞がれた筒状のコネクタキャップ（５）を備えたコネクタユニットであって、前記コネクタキャップの開口部側の端部には、前記コネクタキャップを前記コネクタに対して可動に接続する接続部（５２）が設けられており、前記コネクタの側壁または前記接続部のいずれか一方に設けられた凹部（第１溝１５２、第１溝５９）と他方に設けられた凸部（突出部位５３、突出部位１７０）とが嵌合した状態で、前記接続部は前記コネクタに対して可動に接続されており、前記コネクタに対して前記コネクタキャップを装着した状態において、前記コネクタの先端部分が、前記開口部から前記コネクタキャップ内の空間（５４）に挿入されている。
【０１２０】
上記構成によれば、凸部が凹部の内部で可動に配置されていることから、凸部を凹部の内部でコネクタの中心軸方向に移動させ、あるいは凹部の内部で回動させることができる。したがって、凸部および接続部と連結しているコネクタキャップを、コネクタに対して上記中心軸方向に相対的に変位させ、あるいは凸部を回転軸として回動させることによって、コネクタキャップを着脱できる。それゆえ、コネクタとコネクタキャップとを一体化させてコネクタキャップの紛失やコネクタへの装着忘れを防止しつつ、コネクタに対してコネクタキャップを容易に着脱できるコネクタユニットを実現することができるという効果を奏する。
【０１２１】
また、上記構成によれば、コネクタキャップをコネクタに装着すると、コネクタの先端部分がコネクタキャップで包み込まれるような状態となる。したがって、例えばコネクタ先端の端子の開口部のみを塞ぐ構造のコネクタキャップと比較して、装着状態が安定するとともにコネクタ先端のより広い領域を外部から遮断することができる。それゆえ、コネクタキャップのコネクタからの意図しない離脱、およびコネクタ先端の端子に体液や体組織等が付着することによる接触不良や短絡などの発生に伴う映像の乱れ等を効果的に防止することができるという効果を奏する。
【０１２２】
なお、本明細書中の「離脱」とは、コネクタキャップがコネクタに対して着脱可能に取付けられた状態を維持しつつ、コネクタの先端部分に装着されたコネクタキャップが当該先端部分から外れることを意味する。
【０１２３】
本発明の態様２に係るコネクタユニットは、前記コネクタの側壁（１５１）には、前記コネクタの中心軸方向に延伸し、かつ外部に向けて開口する凹部が形成されており、前記接続部には、上記中心軸に向けて突出し、前記凹部の内部に可動に配置される凸部が設けられていてもよい。
【０１２４】
上記構成によれば、接続部に形成された凸部がコネクタの側壁に形成された凹部の内部で可動に配置されていることから、接続部に形成された凸部をコネクタの側壁に形成された凹部の内部でコネクタの中心軸方向に移動させ、あるいはコネクタの側壁に形成された凹部の内部で回動させることができる。
【０１２５】
本発明の態様３に係るコネクタユニットは、上記態様１または２において、前記凹部の底部には、第２凹部（第２溝１５４）が前記底部の周縁から張り出すように形成されており、前記凸部の先端には、前記第２凹部と係合する係合部位（５５）が設けられていてもよい。
【０１２６】
上記の構成によれば、第２溝に係合部位が係合していることから、第２溝および係合部位が設けられていない構成と比較して、突出部位が第１溝から抜け難くなる。それゆえ、コネクタキャップがコネクタから外れて紛失することを、効果的に防止することができるという効果を奏する。
【０１２７】
本発明の態様４に係るコネクタユニットは、上記態様１から３いずれか１態様において、前記凹部の底面（１５６）には、外部に向けて凸となる第１突状構造（第１凸部１５５）が設けられており、前記コネクタに対して前記コネクタキャップを装着した状態において、前記第１突状構造と、前記凹部における前記コネクタの先端と反対側の第１側面（１５７）とで、前記凸部を挟み込んでもよい。
【０１２８】
上記構成によれば、コネクタキャップをコネクタに装着した状態において、凸部を第１突状構造と第１側面とで挟み込む。したがって、コネクタキャップをコネクタに装着した状態では、コネクタキャップがコネクタ先端方向に摺動しようとしても、凸部が第１突状構造に引掛かる。それゆえ、ユーザが意図しない凸部のコネクタ先端方向への摺動を防止できる。そのため、第１突状構造が設けられていない構成と比較して、コネクタキャップのコネクタからのユーザが意図しない離脱を効果的に防止することができるという効果を奏する。
【０１２９】
また、凸部を第１突状構造と第１側面とで挟み込むことにより、コネクタキャップの装着状態を安定させることができるという効果を奏する。
【０１３０】
本発明の態様５に係るコネクタユニットは、上記態様１から４のいずれか１態様において、前記凹部における前記コネクタの先端と反対側の端部には、前記コネクタの周方向に延伸し、かつ前記凹部と連通する第３凹部（第３溝１５８）が形成されており、前記凸部は、前記第３凹部の内部にも可動に配置してもよい。
【０１３１】
上記構成によれば、コネクタキャップをコネクタに装着した状態において、さらに凸部をコネクタの周方向にスライドさせて当該凸部を第３凹部に配置させることができる。したがって、凸部が第３凹部に配置されている場合、コネクタキャップがコネクタ先端方向に摺動しようとしても、凸部が第３凹部の側壁に引っ掛かる。それゆえ、ユーザが意図しない凸部のコネクタ先端方向への摺動を防止できる。そのため、第３凹部が設けられていない構成と比較して、ユーザが意図しないコネクタキャップ５のカメラ側ケーブルコネクタ１５ａからの離脱を効果的に防止することができるという効果を奏する。
【０１３２】
また、凸部を第３凹部の内部に配置させることにより、コネクタキャップの装着状態を安定させることができるという効果を奏する。
【０１３３】
本発明の態様６に係るコネクタユニットは、上記態様５において、前記第３凹部の底面（１６０）には、外部に向けて凸となる突状構造（第３凸部１５９）が設けられており、前記凸部が前記第３凹部の内部に位置すると、前記突状構造と、前記第３凹部における前記コネクタの中心軸方向に延伸する端面とで、前記凸部を挟み込む。
【０１３４】
上記構成によれば、コネクタキャップをコネクタに装着した状態とし、凸部をコネクタの周方向にスライドさせることによって、当該凸部を第３凹部に配置させることができる。また、第３凹部に配置した凸部を突状構造と端面とで挟み込むことができる。それゆえ、第３凹部および突状構造が設けられていない構成と比較して、ユーザが意図しないコネクタキャップのコネクタからの離脱を効果的に防止することができるという効果を奏する。
【０１３５】
また、凸部を突状構造と端面とで挟み込むことにより、コネクタキャップの装着状態を安定させることができるという効果を奏する。
【０１３６】
本発明の態様７に係るコネクタユニットは、上記態様２から６のいずれか１態様において、前記凹部における、前記コネクタの中心軸方向に延伸する２つの第２側面（１６５）のそれぞれには、対向する前記第２側面に向けて凸となる第２突状構造（第２凸部１６６）が設けられており、前記凸部が前記第２突状構造と前記凹部における前記コネクタの先端と反対側の第１側面との間に位置すると、２つの前記第２突状構造と前記第１側面とで、前記凸部を挟み込んでもよい。
【０１３７】
上記構成によれば、コネクタキャップをコネクタに装着した状態において、凸部を２つの第２突状構造と第１側面とで挟み込む。例えば、コネクタキャップ５がカメラ側ケーブルコネクタ１５ａに装着されると、凸部が第２突状構造と第１側面との間に位置する構成としてもよい。この構成において、コネクタキャップがカメラ側ケーブルコネクタに装着されると、コネクタキャップがコネクタ先端方向に摺動しようとしても、突出部位が２つの第２突状構造に引掛かる。それゆえ、ユーザが意図しない凸部のコネクタ先端方向への摺動を防止できることから、第２突状構造が設けられていない場合と比較して、コネクタキャップのコネクタからの意図しない離脱をより効果的に防止することができるという効果を奏する。
【０１３８】
また、凸部を２つの第２突状構造と第１側面とで挟み込むことにより、コネクタキャップの装着状態を安定させることができるという効果を奏する。
【０１３９】
本発明の態様８に係るコネクタは、先端が塞がれた筒状のコネクタキャップが着脱可能に取付けられたコネクタであって、前記コネクタキャップの開口部側の端部には、前記コネクタキャップを前記コネクタに対して可動に接続する接続部が設けられており、前記コネクタの側壁には、前記コネクタの中心軸方向に延伸し、かつ外部に向けて開口する第１溝が形成されており、前記第１溝の内部には、前記接続部に設けられた、上記中心軸に向けて突出する突出部位が可動に配置されており、前記コネクタに対して前記コネクタキャップを装着した状態において、前記コネクタの先端部分が、前記開口部から前記コネクタキャップ内の空間に挿入されている。上記構成によれば、上記態様１と同様の効果を奏する。
【０１４０】
本発明の態様９に係るコネクタキャップは、コネクタに対して着脱可能に取付けられた、先端が塞がれた筒状のコネクタキャップであって、前記コネクタの側壁には、前記コネクタの中心軸方向に延伸し、かつ外部に向けて開口する第１溝が形成されており、前記コネクタキャップの開口部側の端部には、前記コネクタキャップを前記コネクタに対して可動に接続する接続部が設けられており、前記接続部には、上記中心軸に向けて突出し、前記第１溝の内部に可動に配置される突出部位が設けられており、前記コネクタに対して前記コネクタキャップを装着した状態において、前記コネクタの先端部分が、前記開口部から前記コネクタキャップ内の空間に挿入されている。上記構成によれば、上記態様１と同様の効果を奏する。
【０１４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４２】
１５ａ  カメラ側ケーブルコネクタ（コネクタ）
１５１  側壁（コネクタの側壁）
１５２  第１溝
１５４  第２溝
１５５  第１凸部
１５６  底面（第１溝の底面）
１５７  第１側面
１５８  第３溝
１５９  第３凸部（凸部）
１６０  底面（第３溝の底面）
１６５  第２側面
１６６  第２凸部
５      コネクタキャップ
５１    開口部（コネクタキャップの開口部）
５２    接続部
５３    突出部位
５４    空間（コネクタキャップ内の空間）
５５    係合部位
１００  コネクタユニット
【図１】
2019179702.tif 000003
【図２】
2019179702.tif 000004
【図３】
2019179702.tif 000005
【図４】
2019179702.tif 000006
【図５】
2019179702.tif 000007
【図６】
2019179702.tif 000008
【図７】
2019179702.tif 000009
【図８】
2019179702.tif 000010
【図９】
2019179702.tif 000011
【図１０】
2019179702.tif 000012
【図１１】
2019179702.tif 000013
【図１２】
2019179702.tif 000014
【図１３】
2019179702.tif 000015
【図１４】
2019179702.tif 000016
【図１５】
2019179702.tif 000017
【図１６】
2019179702.tif 000018
【図１７】
2019179702.tif 000019